【手続補正書】
【提出日】平成18年4月19日(2006.4.19)
【手続補正１】
【補正対象書類名】明細書
【補正対象項目名】発明の名称
【補正方法】変更
【補正の内容】
【発明の名称】記録信号供給装置、情報処理装置、情報処理方法、記録装置
【手続補正２】
【補正対象書類名】明細書
【補正対象項目名】特許請求の範囲
【補正方法】変更
【補正の内容】
【特許請求の範囲】
【請求項１】  複数色の記録を可能な記録ヘッドを主走査方向に主走査させながら記録媒体上の走査記録領域に記録を行う記録装置に対し、前記記録を行うのための記録信号を供給する記録信号供給装置であって、
前記主走査方向に直交する方向に隣り合う走査記録領域内の互いに隣接するつなぎ領域のうち、少なくとも一方のつなぎ領域に対応する各色の多値記録信号が表す値のトータルを算出するトータル算出手段と、
前記トータル算出手段によって得られたトータル値に基づいて、前記多値記録信号が表す値を減少させる処理を行う記録信号補正手段と、
を備えたことを特徴とする記録信号供給装置。
【請求項２】 前記トータル算出手段は、前記互いに隣接するつなぎ領域のうち、後の主走査で記録される前記つなぎ領域に対応する前記各色の多値記録信号が表す値のトータルを算出することを特徴とする請求項１記載の記録信号供給装置。
【請求項３】 前記記録信号補正手段は、前記互いに隣接するつなぎ領域のうち、後の主走査で記録される前記つなぎ領域に対応する前記各色の多値記録信号が表す値を減少させる処理を行うことを特徴とする請求項１または２に記載の記録信号供給装置。
【請求項４】 前記記録信号補正手段は、前記トータル値が閾値を超える場合に、前記トータル値の増加に伴って前記多値記録信号値の減少割合を増加させることを特徴とする請求項１乃至３のいずれか記載の記録信号供給装置。
【請求項５】 前記記録信号補正手段は、前記トータル値と閾値との比較結果に基づいて、前記多値記録信号が表す値を減少させる処理を行うものであり、
前記閾値として、前記つなぎ領域を構成する複数のラスタ夫々について異なる値が設定されていることを特徴とする請求項１に記載の記録信号供給装置。
【請求項６】 前記記録信号補正手段は、前記つなぎ領域に含まれる複数の画素のうち、前記トータル値が閾値を超えた画素について、当該画素に対応する前記各色の多値記録信号が表す値を減少させる処理を行うことを特徴とする請求項１乃至３のいずれかに記載の記録信号供給装置。
【請求項７】 前記記録信号補正手段は、前記閾値は画素の位置に応じて異なることを特徴とする請求項６に記載の記録信号供給装置。
【請求項８】 前記隣り合う走査記録領域間の境界からの距離が大である画素に比べて、前記境界からの距離が小である画素について、より小さい閾値が適用されることを特徴とする請求項７に記載の記録信号供給装置。
【請求項９】 前記複数色は、イエロー（Ｙ）、シアン（Ｃ）、マゼンタ（Ｍ）、ブラック（Ｋ）を含むことを特徴とする請求項１乃至８のいずれかに記載の記録信号供給装置。
【請求項１０】 複数色の記録を可能な記録ヘッドを主走査方向に主走査させながら記録媒体上の走査記録領域に記録を行うための記録信号を処理する情報処理装置であって、
前記主走査方向に直交する方向に隣り合う走査記録領域内の互いに隣接するつなぎ領域のうち、少なくとも一方のつなぎ領域に対応する各色の多値記録信号が表す値のトータルを算出する手段と、
前記算出されたトータル値に基づいて、前記多値記録信号が表す値を減少させる処理を行う手段と、
を備えたことを特徴とする情報処理装置。
【請求項１１】 複数色の記録を可能な記録ヘッドを主走査方向に主走査させながら記録媒体上の走査記録領域に記録を行うための記録信号を処理する情報処理方法であって、
前記主走査方向に直交する方向に隣り合う走査記録領域内の互いに隣接するつなぎ領域のうち、少なくとも一方のつなぎ領域に対応する各色の多値記録信号が表す値のトータルを算出する工程と、
前記算出されたトータル値に基づいて、前記多値記録信号が表す値を減少させる処理を行う工程と、
を備えたことを特徴とする情報処理方法。
【請求項１２】 複数色の記録を可能な記録ヘッドを主走査方向に主走査させながら記録媒体上の走査記録領域に記録を行う記録装置であって、
前記主走査方向に直交する方向に隣り合う走査記録領域内の互いに隣接するつなぎ領域のうち、少なくとも一方のつなぎ領域に対応する各色の多値記録信号が表す値のトータルを算出する手段と、
前記算出されたトータル値に基づいて、前記多値記録信号が表す値を減少させる処理を行う手段と、
を備えたことを特徴とする記録装置。
【手続補正３】
【補正対象書類名】明細書
【補正対象項目名】０００１
【補正方法】変更
【補正の内容】
【０００１】
【発明の属する技術分野】
本発明は、複数色の記録を可能な記録ヘッドを主走査方向に主走査させながら記録媒体上の走査記録領域に記録を行う記録装置、この記録装置に対し記録を行うための記録信号を供給する記録信号供給装置、記録信号を処理する情報処理装置、および情報処理方法に関する。
【手続補正４】
【補正対象書類名】明細書
【補正対象項目名】００１１
【補正方法】変更
【補正の内容】
【００１１】
すなわち、本発明の第１の形態は、複数色の記録を可能な記録ヘッドを主走査方向に主走査させながら記録媒体上の走査記録領域に記録を行う記録装置に対し、前記記録を行うのための記録信号を供給する記録信号供給装置であって、前記主走査方向に直交する方向に隣り合う走査記録領域内の互いに隣接するつなぎ領域のうち、少なくとも一方のつなぎ領域に対応する各色の多値記録信号が表す値のトータルを算出するトータル算出手段と、前記トータル算出手段によって得られたトータル値に基づいて、前記多値記録信号が表す値を減少させる処理を行う記録信号補正手段と、を備えたことを特徴とする。
【手続補正５】
【補正対象書類名】明細書
【補正対象項目名】００１２
【補正方法】変更
【補正の内容】
【００１２】
本発明の第２の形態は、複数色の記録を可能な記録ヘッドを主走査方向に主走査させながら記録媒体上の走査記録領域に記録を行うための記録信号を処理する情報処理装置であって、前記主走査方向に直交する方向に隣り合う走査記録領域内の互いに隣接するつなぎ領域のうち、少なくとも一方のつなぎ領域に対応する各色の多値記録信号が表す値のトータルを算出する手段と、前記算出されたトータル値に基づいて、前記多値記録信号が表す値を減少させる処理を行う手段と、を備えたことを特徴とする。
【手続補正６】
【補正対象書類名】明細書
【補正対象項目名】００１３
【補正方法】変更
【補正の内容】
【００１３】
本発明の第３の形態は、複数色の記録を可能な記録ヘッドを主走査方向に主走査させながら記録媒体上の走査記録領域に記録を行うための記録信号を処理する情報処理方法であって、前記主走査方向に直交する方向に隣り合う走査記録領域内の互いに隣接するつなぎ領域のうち、少なくとも一方のつなぎ領域に対応する各色の多値記録信号が表す値のトータルを算出する工程と、前記算出されたトータル値に基づいて、前記多値記録信号が表す値を減少させる処理を行う工程と、を備えたことを特徴とする。
【手続補正７】
【補正対象書類名】明細書
【補正対象項目名】００１４
【補正方法】変更
【補正の内容】
【００１４】
本発明の第４の形態は、複数色の記録を可能な記録ヘッドを主走査方向に主走査させながら記録媒体上の走査記録領域に記録を行う記録装置であって、前記主走査方向に直交する方向に隣り合う走査記録領域内の互いに隣接するつなぎ領域のうち、少なくとも一方のつなぎ領域に対応する各色の多値記録信号が表す値のトータルを算出する手段と、前記算出されたトータル値に基づいて、前記多値記録信号が表す値を減少させる処理を行う手段と、を備えたことを特徴とする。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】